(57)【要約】【課題】監視信号の伝送距離を長距離化することのできる障害検出装置および光伝送システムを得ること。【解決手段】光中継器１０５は、信号光１０２２を入力するラマン光源ユニット１１１と、その出力を増幅して出力する光増幅ユニット１１３から構成されている。ラマン光源ユニット１１１は分岐カプラ１２５で分岐された信号光１２７からＯＳＣフィルタ１２８でＯＳＣ信号１２９の周波数帯を抽出し、ＯＳＣ誤り検出回路１３０でＯＳＣ信号１２９がビットパターンとして検出できるかを判別する。信号レベルをフォトダイオードで検出するよりも伝送路の切断をノイズに強い状態で判別可能である。【選択図】図２
2008288849.tif 000002
【特許請求の範囲】
【請求項１】
主信号と所定のビット構成の監視用の監視信号とをそれぞれ異なった周波数帯の信号として重畳した信号光を入力し、前記監視信号が存在するか否かを前記所定のビット構成の信号の有無によって判別する監視信号有無判別手段と、
この監視信号有無判別手段によって前記所定のビット構成の信号が存在しないと判別されたとき、前記信号光に障害が発生したものと判別する障害判別手段
とを具備することを特徴とする障害検出装置。
【請求項２】
前記監視信号有無判別手段は、前記信号光から前記監視信号の属する周波数帯域の信号を抽出するフィルタを具備していることを特徴とする請求項１記載の障害検出装置。
【請求項３】
前記主信号の断を検出する主信号断検出手段を備え、前記障害判別手段が障害を判別した状態で前記主信号断検出手段が主信号の断を検出したとき、前記信号光の断が伝送路に発生したと判別する伝送路切断判別手段を具備することを特徴とする請求項１記載の障害検出装置。
【請求項４】
前記伝送路は光ファイバで構成されており、光増幅器としてラマン光源が使用されることを特徴とする請求項３記載の障害検出装置。
【請求項５】
伝送路ファイバ内を流れる主信号と所定のビット構成の監視用の監視信号とを順次中継する複数の光中継器を備え、
これら光中継器内には主信号と所定のビット構成の監視用の監視信号とをそれぞれ異なった周波数帯の信号として重畳した信号光を入力し、前記監視信号が存在するか否かを前記所定のビット構成の信号の有無によって判別する監視信号有無判別手段と、前記主信号の断を検出する主信号断検出手段と、前記監視信号有無判別手段によって前記所定のビット構成の信号が存在しないと判別され、かつ前記主信号断検出手段によって主信号の断が検出されたとき、前記伝送路ファイバに切断が生じたと判別する切断判別手段と、この切断判別手段が前記伝送路ファイバに切断が生じたと判別したとき、上流側の光中継器に伝送路の切断を通知する切断通知手段がそれぞれ備えられている
ことを特徴とする光伝送システム。
【請求項６】
前記光中継器には、ラマン増幅を行うためのラマン励起光源が備えられていることを特徴とする請求項５記載の光伝送システム。
【発明の詳細な説明】
【技術分野】
【０００１】
本発明は、伝送路の切断を検出するための障害検出装置および障害検出装置を使用した光伝送システムに関する。
【背景技術】
【０００２】
インターネット等のネットワークを用いた通信の普及に伴って、光増幅器の技術開発が進んでいる。光伝送システムに使用する光増幅器として、エルビウムドープファイバが使用されてきたが、ラマン光源を用いた光伝送システムの開発も行われている。ラマン光源を用いてラマン増幅を行うことで通信を行うと、エルビウムドープファイバを使用する場合に比べて、広い増幅帯域を実現することができる。また、より高出力の励起光源を使用して、ゲインを容易に向上させることができる。
【０００３】
この一方で、光多重通信では多重された主信号のパワーが比較的大きくなる。したがって、伝送路ファイバの断線が生じたときには、人体への照射の影響に十分配慮することが必要になる。このため、伝送路ファイバの切断をフォトダイオードで検出してこれに対処することが本発明の関連技術として提案されている（たとえば特許文献１参照）。
【０００４】
図７は、本発明の関連技術としての光伝送システムの要部を表わしたものである。この光伝送システム２００で上流に位置する伝送路ファイバ２０１から送られてきた信号光２０２は、光中継器２０３のラマン光源ユニット２０４に入力され、その後に光増幅ユニット２０５で増幅されて、信号光２０６として下流側に送出されていく。
【０００５】
ここでラマン光源ユニット２０４は、ラマン励起光源２１１と、このラマン励起光源２１１から出力される励起光２１２を上流の伝送路ファイバ２０１側に出力するための励起光カプラ２１３を備えている。励起光カプラ２１３から下流方向に出力された信号光２１４は、分岐カプラ２１５に入力されて分岐され、その一方が信号光２１６として次の光増幅ユニット２０５に供給されるようになっている。
【０００６】
ところで、光中継器２０３に入力された信号光２０２は、本来伝送すべき信号としての主信号と、監視用の信号としてのＯＳＣ（Optical Supervisory Channel）信号から構成されている。分岐カプラ２１５はこれらの信号を分離することなく分岐する。この結果、主信号とＯＳＣ信号の双方が信号光２１６として光増幅ユニット２０５に供給されると共に、信号光２１７としてＯＳＣフィルタ２１８に供給される。
【０００７】
ＯＳＣフィルタ２１８は、入力された信号光２１７の中からＯＳＣ信号のみを抽出するようになっている。このようにしてＯＳＣフィルタ２１８から出力されるＯＳＣ信号２１９は、フォトダイオード（ＰＤ）２２０に入力される。したがって、信号光２０２が上流の伝送路ファイバ２０１から送られてきている状態ではフォトダイオード２２０は常にＯＳＣ信号を検出することになる。このため、フォトダイオード２２０がＯＳＣ信号２１９の検出ができないようになったとき、上流の伝送路ファイバ２０１からフォトダイオード２２０に至る経路のいずれかで光ファイバの伝送が断になったものと推定することができる。
【０００８】
前記したように光増幅ユニット２０５に向かう信号光２１６も、主信号とＯＳＣ信号を含んでいる。ＯＳＣ分岐カプラ２２１は信号光２１６を入力してＯＳＣ信号を分離する。そして、分離後のＯＳＣ信号をＯＳＣ送受信ユニット２２２に入力する。ＯＳＣ送受信ユニット２２２は、図示しない検出回路を備えており、受信したＯＳＣ信号の内容を判別して、それに応じた監視制御を行うようになっている。
【０００９】
この光伝送システムでは、ＯＳＣ分岐カプラ２２１を通過した信号光を増幅器２２３に入力して増幅し、ＯＳＣ合波カプラ２２４で合波した後、信号光２０６として次段の回路部分に送出するようにしている。
【特許文献１】特開２００２-２５２５９５号公報（第００６８〜第００７１段落、図９）
【発明の開示】
【発明が解決しようとする課題】
【００１０】
このような本発明に関連する提案では、フォトダイオード２２０の検出結果のみで上流の伝送路ファイバ２０１に障害が発生したかを判別するようにしていた。このため、ラマン増幅によりＡＳＥ（Amlified Spontaneous Emission）光が発生した場合、伝送路が長くなってラマン光源ユニット２０４の受信するＯＳＣ信号の信号レベルが低下すると、これをＡＳＥ光と受信パワーで区別できず伝送路ファイバの断線を検出できなくなり、監視信号としてのＯＳＣ信号の伝送距離あるいはスパンロスが制限されることになった。
【００１１】
そこで本発明の目的は、監視信号の伝送距離を長距離化することのできる障害検出装置および光伝送システムを提供することにある。
【課題を解決するための手段】
【００１２】
本発明では、（イ）主信号と所定のビット構成の監視用の監視信号とをそれぞれ異なった周波数帯の信号として重畳した信号光を入力し、監視信号が存在するか否かを前記した所定のビット構成の信号の有無によって判別する監視信号有無判別手段と、（ロ）この監視信号有無判別手段によって前記した所定のビット構成の信号が存在しないと判別されたとき、信号光に障害が発生したものと判別する障害判別手段とを障害検出装置に具備させる。
【００１３】
すなわち本発明では、監視信号有無判別手段が信号光中に監視信号が存在するか否かを、監視信号としての所定のビット構成の信号の有無によって判別する。そして、前記した所定のビット構成の信号が存在しないと判別されたとき、信号光に障害が発生したものと判別するようにしている。障害の発生は、たとえば伝送路ファイバの切断によって発生する。
【００１４】
また、本発明では、（イ）伝送路ファイバ内を流れる主信号と所定のビット構成の監視用の監視信号とを順次中継する複数の光中継器を備え、（ロ）これら光中継器内にはそれぞれ主信号と所定のビット構成の監視用の監視信号とを異なった周波数帯の信号として重畳した信号光を入力し、監視信号が存在するか否かを前記した所定のビット構成の信号の有無によって判別する監視信号有無判別手段と、主信号の断を検出する主信号断検出手段と、監視信号有無判別手段によって前記した所定のビット構成の信号が存在しないと判別され、かつ主信号断検出手段によって主信号の断が検出されたとき、伝送路ファイバに切断が生じたと判別する切断判別手段と、この切断判別手段が伝送路ファイバに切断が生じたと判別したとき、上流側の光中継器に伝送路の切断を通知する切断通知手段がそれぞれ備えられていることを特徴としている。
【００１５】
すなわち本発明では、複数の光中継器のそれぞれが伝送路ファイバの切断を判別する手段を備えており、伝送路ファイバに切断が生じたと判別したとき、上流側の光中継器に伝送路の切断を通知するようにしている。ここで伝送路ファイバの切断の判別には、監視信号としての所定のビット構成の信号の有無によって判別することにしている。
【発明の効果】
【００１６】
以上説明したように本発明によれば、監視信号の出力レベルによって伝送路の切断の有無を判別するのではなく、監視信号としてのデータ構成が判別できるかによって伝送路の切断の有無を判別することにした。このため、伝送路にノイズが混入しているような場合にも、これによる出力レベルの変動に基づく伝送路の切断の誤検出を有効に防止することができる。このため、切断の有無を判別するこのような手段を伝送路に複数配置しておけば、どの位置で伝送路が切断されたかを確実に判断することができる。
【発明を実施するための最良の形態】
【００１７】
以下実施例につき本発明を詳細に説明する。
【実施例１】
【００１８】
図１は、本発明の一実施例における光伝送システムの構成の要部を表わしたものである。この光波長多重伝送システム１００では、第１の方向１０１1に信号光１０２1を伝送する第１の光伝送路１０３1と、これとは逆の第２の方向１０１2に信号光１０２2を伝送する第２の光伝送路１０３2が、第１の光中継器１０５1、第２の光中継器１０５2等の複数の光中継器によって中継される構成となっている。
【００１９】
図２は、このうちの第１の光中継器における第１の光伝送路の部分を抜き出してその構成を具体的に表わしたものである。なお、第１の光中継器１０５1における第２の光伝送路１０３2に関する回路部分は、第１の光中継器１０５1と回路の配置の方向は逆となるが回路的には同一の構成となっている。また、第２の光中継器１０５2等の他の光中継器は、第１の光中継器１０５1と同一の回路構成となっているので、これらの光中継器の構成も図示を省略する。
【００２０】
第１の光中継器１０５1は、第１の光伝送路１０３1の入力側に接続されたラマン光源ユニット１１１と、これから出力される信号光１１２を入力する光増幅ユニット１１３を備えている。光増幅ユニット１１３の出力が、図１における第２の光中継器１０５2に信号光１０２1として入力されることになる。
【００２１】
このような光波長多重伝送システム１００で、図２に示したようにラマン光源ユニット１１１は、ラマン励起光源１２１と、このラマン励起光源１２１から出力される励起光１２２を上流の伝送路ファイバ１０６1側に出力するための励起光カプラ１２３を備えている。励起光カプラ１２３から下流方向に出力された信号光１２４は、分岐カプラ１２５に入力されて分岐され、その一方が信号光１１２として次の光増幅ユニット１１３に供給されるようになっている。
【００２２】
ところで、第１の光中継器１０５1に入力された信号光１０２1は、本来伝送すべき信号としての主信号と、監視用の信号としてのＯＳＣ（Optical Supervisory Channel）信号から構成されている。分岐カプラ１２５はこれらの信号を分離することなく分岐する。この結果、主信号とＯＳＣ信号の双方が信号光１１２として光増幅ユニット１１３に供給されると共に、信号光１２７としてＯＳＣフィルタ１２８に供給される。ＯＳＣフィルタ１２８は、ＯＳＣ信号を抽出する。抽出されたＯＳＣ信号１２９はＯＳＣ誤り検出器１３０に入力されて、ＯＳＣ信号光の誤りが検出されるようになっている。
【００２３】
図３は、ＯＳＣ誤り検出器の具体的な構成を示したものである。ＯＳＣ誤り検出器１３０は、抽出されたＯＳＣ信号１２９を入力する入力バッファ１３０Ａを備えている。入力バッファ１３０Ａに格納されたビットパターンとしてのＯＳＣ信号１２９は、ＯＳＣパターンメモリ１３０Ｂに格納された１通りまたは複数通りのＯＳＣ信号パターン１３０Ｃと比較器１３０Ｄで比較される。そして、その結果が比較結果信号１３０Ｅとして出力される。
【００２４】
ここで、比較結果信号１３０Ｅは、ＯＳＣパターンメモリ１３０Ｂに格納されたＯＳＣ信号パターン１３０Ｃのいずれか１つとビットパターンが完全に一致したときにＯＳＣ信号を認識した信号内容となる。また、ＯＳＣパターンメモリ１３０Ｂに格納されたＯＳＣ信号パターン１３０Ｃのいずれともビットパターンが一致しなかったときにエラーを示す信号内容となる。比較結果信号１３０Ｅがエラーを示す信号内容となったとき、前記したように伝送路ファイバの切断の可能性がある。
【００２５】
図２に戻って説明を続ける。光増幅ユニット１１３の方は、ラマン光源ユニット１１１から送られてきた信号光１１２を入力してＯＳＣ信号を主信号から分岐するＯＳＣ分岐カプラ１３１を備えている。ＯＳＣ分岐カプラ１３１によって分岐された主信号１３２は、光増幅器１３３に入力されて増幅される。そして、増幅後の主信号１３４としてＯＳＣ合波カプラ１３５に入力される。ＯＳＣ合波カプラ１３５は、主信号１３４とＯＳＣ送受信ユニット１３６から出力されるＯＳＣ信号１３７とを再び合波して、信号光１０２1として出力する。ここで、ＯＳＣ送受信ユニット１３６には、ＯＳＣ分岐カプラ１３１から分岐されたＯＳＣ信号１５１が入力されるようになっている。また、ＯＳＣ送受信ユニット１３６からは下流側から伝送路ファイバ１０６1の切断検出の信号が入力されたとき、増幅率を低下させるための増幅率制御信号１３８が光増幅器１３３に供給されるようになっている。
【００２６】
このような光波長多重伝送システム１００の信号伝送の様子を次に具体的に説明する。本実施例の光波長多重伝送システム１００では、たとえば第１の光中継器１０５1に入力される信号光１０２1は、主信号とＯＳＣ信号を波長多重したものとなっている。光波長多重伝送システム１００では、ラマン増幅で信号光を増幅すると、これと共にＡＳＥ（Amlified Spontaneous Emission）光が発生する。このＡＳＥ光は、次に説明するように主信号だけでなくＯＳＣ信号にも付加されるので、ＯＳＣ信号の信号品質の劣化を生じさせることになる。
【００２７】
図４は、ラマン増幅の存否の違いを説明するためのものである。伝送路ファイバに強い励起光を入射するとラマン散乱により誘導放出が起こり、励起光波長より約１００ｎｍ（ナノメートル）だけ長波長側にピークをもつ増幅が得られる。これはラマン散乱という物理現象を利用した光増幅である。
【００２８】
図４（ａ）はラマン増幅がない場合を示している。ＯＳＣ信号１４１と主信号１４２が実線で示したように異なった波長域に存在している。このとき、破線で示したようなラマン励起光源１４３は存在しておらず、したがってＡＳＥ光１４４による信号品質の劣化という問題は生じない。このようにラマン増幅がない状態で、たとえばＳＮＲ（Signal Noise Ratio）は２０ｄＢとなっている。
【００２９】
図４（ｂ）は、ラマン増幅がある場合を示している。この場合には、実線で示したラマン励起光源１４３の存在によって、同じく実線で示したようにラマン増幅によるノイズ光としてのＡＳＥ光１４４が発生している。今、ラマン励起光源１４３によるラマン増幅によって主信号１４２の信号パワーが３ｄＢ増加し、ＡＳＥノイズが４ｄＢ増加したとする。この場合、主信号１４２のＳＮＲは２０ｄＢから１９ｄＢに減少することになる。
【００３０】
ラマン増幅は広帯域にわたって発生する現象である。このため、ＯＳＣ信号１４１もそのＳＮＲが主信号１４２の劣化と同様に劣化する。ラマン増幅が存在しない図４（ａ）の場合、ＯＳＣ信号１４１の波長を主信号１４２とは別の帯域に設定することで、主信号帯の光増幅によるＡＳＥノイズの影響を回避した伝送が可能である。ところが、ラマン増幅が存在する場合には、ラマン励起のＡＳＥノイズの影響をＯＳＣ信号１４１が受けることになる。これにより、ＯＳＣ信号１４１の信号劣化が生じる。
【００３１】
図２に再び戻って説明を続ける。ラマン増幅を受けた信号光１０２1は、ラマン光源ユニット１１１に入力して、その後、分岐カプラ１２５によって分岐される。すでに説明したように、分岐カプラ１２５はＯＳＣ信号のみを選択して抽出するデバイスではない。このため、分岐後にラマン光源ユニット１１１内を伝送される信号光１２７は、主信号とＯＳＣ信号を含んでいる。この信号光１２７は、ＯＳＣフィルタ１２８に入力されて、ここでバンドパスフィルタとしての機能によって主信号を含まずＯＳＣ信号１２９を含む波長域の信号が抽出される。
【００３２】
ＯＳＣフィルタ１２８は、２０ｎｍ程度の波長帯域でこのようなフィルタリングを行う。すなわち、ＯＳＣ信号１２９のみでなく、その波長帯域に存在するラマン増幅によるＡＳＥノイズもＯＳＣフィルタ１２８を同様に通過する。したがって、通過するＡＳＥ光を単純に少なくするためには、ＯＳＣフィルタ１２８のフィルタ帯域幅を更に狭くする手法を採ることが考えられる。ただし、この手法を採用するとフィルタ幅が狭くなると共にＯＳＣ信号の波長に対するバラツキを厳しく管理する必要がある。この結果、このような光波長多重伝送システム１００がコスト高となるという問題が発生する。
【００３３】
そこで、本実施例では、ＡＳＥノイズを含んだＯＳＣ信号をＯＳＣ誤り検出器１３０に入力して、ＯＳＣ信号が誤りなく検出されるかの識別処理を行うようにしている。具体的には、ＯＳＣ信号からクロックを抽出して、そのクロックに同期してＯＳＣ信号のビット構成をチェックして、ビット誤りが存在するかを判別するようにしている。
【００３４】
これに対して、図７に示した本発明の関連技術では、フォトダイオード２２０を用いてＯＳＣ信号のパワーの検出によりその存否を判別している。このような図７に示した関連技術では、伝送路が長スパンになるとＯＳＣ信号が相対的に減少してしまい、この結果としてＡＳＥノイズとの信号レベル上での識別が困難あるいは不可能になるという問題が発生する。
【００３５】
これに対して本実施例では、同一周波数帯域におけるＯＳＣ信号とＡＳＥノイズの信号レベルの差を検出するのではなく、ＯＳＣ信号そのもののデータ構成の誤りを検出する。したがって、本発明の関連技術で生じたこの種の問題が発生しない。
【００３６】
次に、本実施例における光増幅ユニット１１３の動作を説明する。ラマン光源ユニット１１１を通過した信号光１１２は、主信号とＯＳＣ信号を含んでいる。ＯＳＣ分岐カプラ１３１は信号光１１２を入力してＯＳＣ信号１５１を分離する。そして、分離後のＯＳＣ信号１５１をＯＳＣ送受信ユニット１３６に入力する。ＯＳＣ送受信ユニット１３６は、その内部に受信したＯＳＣ信号の誤りを検出する検出回路を備えている。
【００３７】
ところで、光伝送システムでは、その保守作業時の安全性を確保するために、ＩＴＵ−Ｔ（International Telecommunications Union - Telecommunications Standardization Sector）（Ｇ.６６４）勧告としてＡＰＲ（Auto Power Reduction）動作を行うことが規定されている。
【００３８】
図５は、図１に示した第１の中継器と第２の中継器を具体的に表わしたものである。第１の光中継器１０５1と第２の光中継器１０５2を接続する第１の光伝送路１０３1と第２の光伝送路１０３2のうちの前者のポイントＡで伝送路ファイバの切断が発生したものとする。なお、この図５では第１の光中継器１０５1と第２の光中継器１０５2の内部の各回路を区別して説明するために、第１の光中継器１０５1内の各回路部品に付した符号の末尾にはそれぞれ添え字「１」を付加し、第２の光中継器１０５2内の各回路部品に付した符号の末尾にはそれぞれ添え字「２」を付加している。また、第１の光伝送路１０３1に関する部品と第２の光伝送路１０３2に関する部品が１つの中継器１０５1または１０５2内に存在する場合には、添え字を２桁で表わすことにして、その最下位の桁に相当する数字として、第１の光伝送路１０３1に関する部品の場合には「１」を、第２の光伝送路１０３2に関する部品の場合には「２」を追加することにしている。
【００３９】
ポイントＡで伝送路ファイバの切断が発生した場合、第１の光伝送路１０３1におけるこれよりも下流側の第２の光中継器１０５2ではラマン光源ユニット１１１2内のＯＳＣ誤り検出器１３０（図２）がＯＳＣ信号を識別できなくなり、エラーを検出する。また、ラマン光源ユニット１１１2内には主信号の信号レベルを検出する図示しないフォトダイオードが配置されており、このフォトダイオードも主信号の信号レベルを検出できなくなる。以上の検出結果を基にして、ラマン光源ユニット１１１2は第１の光伝送路１０３1の信号断を判別する。そして、この信号断の判別結果に基づいて、第１の光伝送路１０３1に対応する光増幅ユニット１１３21の出力パワーと、第２の光伝送路１０３2に対応する光増幅ユニット１１３22の出力パワーを低下させる。このとき光増幅ユニット１１３22の出力パワーは、第２の光伝送路１０３2を介してラマン光源ユニット１１１1内で前記したラマン光源ユニット１１１1内の図示しないフォトダイオードが信号断を検出するために十分な程度まで低下される。
【００４０】
このようにしてポイントＡで伝送路ファイバの切断が発生すると、これを基にしてラマン光源ユニット１１１1内で信号断が検出される。ラマン光源ユニット１１１1内で信号断が検出されると、この検出結果はＯＳＣ送受信ユニット１３６1に伝達される。ＯＳＣ送受信ユニット１３６1は、これを基にして増幅率を低下させるための増幅率制御信号１３８1を増幅器１３３1に供給する。これにより、光増幅ユニット１１３11は第１の光伝送路１０３1に出力する出力パワーを低下させる。このようにして、第１の光中継器１０５1と第２の光中継器１０５2の間のポイントＡで伝送路ファイバの切断が生じた場合、この地点よりも上流側からの送出パワーが低下し、安全性が確保される。
【００４１】
次に、光断線障害が発生するポイントを考察する。システムの運用中やシステムの建設中に光断線障害が発生するポイントとしては、ポイントＡとして示した箇所の他に、ラマン光源ユニット１１１2と光増幅ユニット１１３21の間のポイントＢ、および光増幅ユニット１１３21とＯＳＣ送受信ユニット１３６2の間のポイントＣが考えられる。なお、ここではラマン光源ユニット１１１2、光増幅ユニット１１３21およびＯＳＣ送受信ユニット１３６2内の断線や回路障害による信号断は、ユニットの故障として、考察範囲から除外している。
【００４２】
まず、ポイントＡについて、その断検出を説明する。ポイントＡで切断が生じた場合、その下流側のラマン光源ユニット１１１2とＯＳＣ送受信ユニット１３６2でＯＳＣ信号の信号断によるエラーが検出される。また、ラマン光源ユニット１１１2と光増幅ユニット１１３21でも、図示しないフォトダイオードが主信号の信号レベルを検出しており、これが所定のしきい値以下となっている場合には主信号断を検出することができる。光増幅ユニット１１３21内のフォトダイオードは、図２に示したＯＳＣ分岐カプラ１３１の後に配置され、主信号のみの信号レベルを検出することで、主信号断を検出することができる。したがって、しきい値をうまく設定することによって、分岐カプラ１３１によるフィルタ機能を不要とすることができる。
【００４３】
ポイントＢで切断が生じた場合には、これよりも上流側のラマン光源ユニット１１１2はＯＳＣ信号を認識する。同様にラマン光源ユニット１１１2では前記したフォトダイオードが主信号の検出を行うことができる。
【００４４】
一方、ポイントＢよりも下流側のＯＳＣ送受信ユニット１３６2ではＯＳＣ信号の信号断を検出する。また、同様にポイントＢよりも下流側の光増幅ユニット１１３21では前記したフォトダイオードが主信号断を検出する。光増幅ユニット１１３21で主信号断が検出されると、ＡＰＲ機能が動作する。この結果、第１の光中継器１０５1側の光増幅ユニット１１３11から第１の光伝送路１０３1に出力する信号光の出力パワーが低下する。この結果、ラマン光源ユニット１１１2が主信号断を検出することになる。
【００４５】
最後に、ポイントＣで切断が生じた場合を説明する。この場合の断線については、ＯＳＣ送受信ユニット１３６2のみがＯＳＣ信号の信号断を検出する。
【００４６】
図６は、以上説明した各ポイントにおける断線と信号の有無の関係を表わしたものである。ポイントＡとポイントＢの信号断の検出の違いは、図５のラマン光源ユニット１１１2でＯＳＣ信号のエラーの検出が行われているか否かの違いとなる。したがって、第２の光中継器１０５2等の光中継器が、この図６に示した検出結果をテーブルとして所持することで、保守作業者は、どの場所で断線が生じたかを迅速に判別することができる。
【００４７】
しかも、本実施例の場合には、ラマン光源ユニット１１１の内部にＯＳＣ信号の誤りを検出するＯＳＣ誤り検出器１３０を備えている。このため、ＯＳＣ信号の識別力が向上し、長スパンの光伝送システムであってもラマン光源ユニット１１１と光増幅ユニット１１３間の断検出が可能になる。
【００４８】
また、図７に示した本発明に関連する技術ではラマン光源ユニット２０４に信号光２０２が入力された段階ではその上流側で伝送路ファイバ２０１に断線が発生しているかどうかを正確に特定できない。したがって、その結果として図５におけるポイントＡとポイントＢのいずれで切断が発生したのかを特定することができないという問題があった。本実施例では、ポイントＡで伝送路ファイバ１０６に断線が発生したとき、これを図２に示したＯＳＣ誤り検出器１３０と、同じくラマン光源ユニット１１１内の主信号用の図示しないフォトダイオードの検出結果の論理積をとることで高い精度でこれを検出することができる。したがって、切断位置がポイントＡとポイントＢのいずれであるかの特定を正確に行うことができる。
【００４９】
なお、実施例ではラマン励起光源１２１を使用した光伝送システムについて説明したが、これに限るものではない。すなわちラマン励起光源１２１を使用しない光伝送システムでも、監視信号のエラーを検出することで伝送路ファイバ１０６の切断を検出することが可能であり、伝送路ファイバ１０６にノイズが混入した場合にも信頼性の高い光伝送システムを実現することができる。
【図面の簡単な説明】
【００５０】
【図１】本発明の一実施例における光伝送システムの構成の要部を表わしたシステム構成図である。
【図２】本実施例で第１の光中継器における第１の光伝送路の部分を抜き出してその構成を具体的に表わしたブロック図である。
【図３】本実施例のＯＳＣ誤り検出器の具体的な構成を示したブロック図である。
【図４】ラマン増幅の存否の違いを示した説明図である。
【図５】図１に示した第１の中継器と第２の中継器を具体的に表わしたシステム構成図である。
【図６】本実施例で各ポイントにおける断線と信号の有無の関係を表わした説明図である。
【図７】本発明の関連技術としての光伝送システムの要部を表わしたシステム構成図である。
【符号の説明】
【００５１】
１００  光波長多重伝送システム
１０２、１１２、１２４  信号光
１０５  光中継器
１１１  ラマン光源ユニット
１１３  光増幅ユニット
１２１  ラマン励起光源
１２３  励起光カプラ
１２５  分岐カプラ
１２８  ＯＳＣフィルタ
１３０  ＯＳＣ誤り検出回路
１３０Ｂ  ＯＳＣパターンメモリ
１３０Ｄ  比較器
１３１  ＯＳＣ分岐カプラ
１３５  合波カプラ
１３６  ＯＳＣ送受信ユニット
１３８  増幅率制御信号
【図１】
2008288849.tif 000003
【図２】
2008288849.tif 000004
【図３】
2008288849.tif 000005
【図４】
2008288849.tif 000006
【図５】
2008288849.tif 000007
【図６】
2008288849.tif 000008
【図７】
2008288849.tif 000009